(57)【要約】【課題】  本発明は、本来表示手段に表示すべき内容を損なうことなくユーザに対してエラー状態を認識させるようにする。【解決手段】  本発明は、機器が有する所定機能のエラー状態を検出し、当該エラー状態をエラーメッセージとしてＬＣＤ１４に表示させ、エラーメッセージの表示と同時に、エラー通知ＬＥＤ１５によりエラー状態にあることをユーザに通知し、エラーメッセージの表示時間が一定時間経過したときエラーメッセージの表示だけを終了することにより、エラーメッセージによって本来表示すべき内容が損なわれることを極力回避しつつ、エラーメッセージを見逃したユーザにはエラー通知ＬＥＤ１５によりエラー状態を確実に認識させることができる。【選択図】        図３
2006350456.tif 000002
【特許請求の範囲】
【請求項１】
機器が有する所定機能のエラー状態を検出する検出手段と、
上記所定機能のエラー状態を所定の文字列によって表示手段に表示させるエラー状態表示手段と、
上記エラー状態の表示と同時に、上記所定機能のエラー状態を所定の方法によりユーザに通知するエラー状態通知手段と、
上記表示手段に対する上記エラー状態の表示時間が一定時間経過したとき上記エラー状態表示手段による上記エラー状態の表示だけを終了させる制御手段と
を具えることを特徴とする電子機器。
【請求項２】
上記制御手段は、上記エラー状態の表示だけを終了させる一方で、上記エラー状態の通知については継続する
ことを特徴とする請求項１に記載の電子機器。
【請求項３】
上記エラー状態通知手段は、ユーザに対して視認性のあるアイコン或いはＬＥＤ(LightEmitting Diode)により上記所定機能のエラー状態を通知する
ことを特徴とする請求項１に記載の電子機器。
【請求項４】
上記電子機器は、
上記制御手段により上記エラー状態の表示だけを終了させた後であっても、ユーザからの再表示ボタンに対する操作に応じて上記エラー状態を再表示する
ことを特徴とする請求項１に記載の電子機器。
【請求項５】
上記制御手段は、上記エラー状態の表示だけを終了させた後であっても、ユーザからの再表示ボタンに対する操作に応じて上記エラー状態の種類を表示する
ことを特徴とする請求項１に記載の電子機器。
【請求項６】
上記制御手段は、上記エラー状態の表示した後、ユーザからのエラー復帰ボタンに対する操作に応じて上記エラー状態を解消するための所定の処理を実行する
ことを特徴とする請求項１に記載の電子機器。
【請求項７】
機器が有する所定機能のエラー状態を検出する検出ステップと、
上記所定機能のエラー状態を所定の文字列によって表示手段に表示させると同時に、上記所定機能のエラー状態を所定の方法によりユーザに通知するエラー状態表示通知ステップと、
上記表示手段に対する上記エラー状態の表示時間が一定時間経過するか否かを判定する表示時間判定ステップと、
上記表示時間判定ステップで上記エラー状態の表示時間が一定時間経過したことを判定したとき上記エラー状態の表示だけを終了させる制御ステップと
を具えることを特徴とするエラー状態表示制御方法。
【請求項８】
電子機器に対して、
上記電子機器が有する所定機能のエラー状態を検出する検出ステップと、
上記所定機能のエラー状態を所定の文字列によって表示手段に表示させると同時に、上記所定機能のエラー状態を所定の方法によりユーザに通知するエラー状態表示通知ステップと、
上記表示手段に対する上記エラー状態の表示時間が一定時間経過するか否かを判定する表示時間判定ステップと、
上記表示時間判定ステップで上記エラー状態の表示時間が一定時間経過したことを判定したとき上記エラー状態の表示だけを終了させる制御ステップと
を実行させることを特徴とするエラー状態表示制御プログラム。
【発明の詳細な説明】
【技術分野】
【０００１】
本発明は、電子機器、エラー状態表示制御方法及びエラー状態表示制御プログラムに関し、例えば表示能力の乏しいポータブルのオーディオ機器で何らかのエラーが発生したときのエラー状態を表示する場合に適用して好適なものである。
【背景技術】
【０００２】
従来、オーディオ機器の一つであるポータブルＣＤ(Compact Disc)プレーヤにおいては、筐体の表面に１行程度のメッセージを表示することが可能なＬＣＤ(Liquid Crystal Display)が設けられていることが多く、例えばＣＤ再生機能にエラーが発生したときにはエラーメッセージをＬＣＤに表示することにより、ユーザに対してエラー状態にあることを通知する。
【０００３】
一方、ネットワーク接続された電子機器において、各エラーに対応した最新のエラー対処方法を得るようになされたものがある（例えば、特許文献１参照）。
【特許文献１】特開2003-296082公報
【発明の開示】
【発明が解決しようとする課題】
【０００４】
ところでかかる構成のポータブルＣＤプレーヤにおいては、例えばＣＤ再生中にＣＤ再生以外の機能が故障する等のエラーが発生した場合、ＬＣＤには１行程度のメッセージしか表示できないため、エラーメッセージをＬＣＤに表示したときには本来表示すべきＣＤ再生時間等を表示できなくなるという問題があった。
【０００５】
またＣＤプレーヤにおいては、エラーが発生したときに、それが現在実行中のＣＤ再生機能と無関係の機能であるときには、本来はエラーメッセージを表示する必要があるにも拘らず、あえてエラーメッセージを表示せずにＣＤ再生中であることを示す再生時間等だけを表示し続けることがあり、このような場合にはユーザにエラーが発生したことをリアルタイムに通知し得ないという問題があった。
【０００６】
本発明は以上の点を考慮してなされたもので、本来表示すべき内容を損なうことなくユーザに対してエラー状態を認識させ得る電子機器、エラー状態表示制御方法及びエラー状態表示制御プログラムを提案しようとするものである。
【課題を解決するための手段】
【０００７】
かかる課題を解決するため本発明の電子機器においては、機器が有する所定機能のエラー状態を検出する検出手段と、所定機能のエラー状態を所定の文字列によって表示手段に表示させるエラー状態表示手段と、エラー状態の表示と同時に、所定機能のエラー状態を所定の方法によりユーザに通知するエラー状態通知手段と、表示手段に対するエラー状態の表示時間が一定時間経過したときエラー状態表示手段によるエラー状態の表示だけを終了させる制御手段とを設けるようにする。
【０００８】
これにより本発明の電子機器では、エラー状態を示す文字列を表示すると同時に当該エラー状態にあることを文字列表示以外の所定の方法でユーザに通知し、一定時間経過後にはエラー状態を示す文字列表示だけを終了させることにより、エラー状態を示す文字列表示によって本来表示すべき内容が損なわれることを極力回避しつつ、エラー状態を示す文字列表示を見逃したユーザには文字列表示以外の方法でエラー状態を確実に認識させることができる。
【０００９】
また本発明のエラー状態表示制御方法においては、機器が有する所定機能のエラー状態を検出する検出ステップと、所定機能のエラー状態を所定の文字列によって表示手段に表示させると同時に、所定機能のエラー状態を所定の方法によりユーザに通知するエラー状態表示通知ステップと、表示手段に対するエラー状態の表示時間が一定時間経過するか否かを判定する表示時間判定ステップと、当該表示時間判定ステップでエラー状態の表示時間が一定時間経過したことを判定したときエラー状態の表示だけを終了させる制御ステップとを実行するようにする。
【００１０】
これにより本発明のエラー状態表示制御方法では、エラー状態を示す文字列を表示すると同時に当該エラー状態にあることを文字列表示以外の所定の方法でユーザに通知し、一定時間経過後にはエラー状態を示す文字列表示だけを終了させることにより、エラー状態を示す文字列表示によって本来表示すべき内容が損なわれることを極力回避しつつ、エラー状態を示す文字列表示を見逃したユーザには文字列表示以外の方法でエラー状態を確実に認識させることができる。
【００１１】
さらに本発明のエラー状態表示制御プログラムにおいては、電子機器に対して、電子機器が有する所定機能のエラー状態を検出する検出ステップと、所定機能のエラー状態を所定の文字列によって表示手段に表示させると同時に、所定機能のエラー状態を所定の方法によりユーザに通知するエラー状態表示通知ステップと、表示手段に対するエラー状態の表示時間が一定時間経過するか否かを判定する表示時間判定ステップと、表示時間判定ステップでエラー状態の表示時間が一定時間経過したことを判定したときエラー状態の表示だけを終了させる制御ステップとを実行させるようにする。
【００１２】
これにより本発明のエラー状態表示制御プログラムでは、エラー状態を示す文字列を表示すると同時に当該エラー状態にあることを文字列表示以外の所定の方法でユーザに通知し、一定時間経過後にはエラー状態を示す文字列表示だけを終了させることにより、エラー状態を示す文字列表示によって本来表示すべき内容が損なわれることを極力回避しつつ、エラー状態を示す文字列表示を見逃したユーザには文字列表示以外の方法でエラー状態を確実に認識させることができる。
【発明の効果】
【００１３】
本発明によれば、エラー状態を示す文字列を表示すると同時に当該エラー状態にあることを文字列表示以外の所定の方法でユーザに通知し、一定時間経過後にはエラー状態を示す文字列表示だけを終了させることにより、エラー状態を示す文字列表示によって本来表示すべき内容が損なわれることを極力回避しつつ、エラー状態を示す文字列表示を見逃したユーザには文字列表示以外の方法でエラー状態を確実に認識させ得る電子機器、エラー状態表示制御方法及びエラー状態表示制御プログラムを実現することができる。
【発明を実施するための最良の形態】
【００１４】
以下、図面について、本発明の一実施の形態を詳述する。
【００１５】
（１）ラジオ機能付ＣＤプレーヤの外観構成
図１において１は全体として、本発明のエラー状態表示制御機能を備えたラジオ機能付ＣＤプレーヤの外観構成を示し、円形状でなるＣＤプレーヤ本体２にイヤホン３が接続されている。
【００１６】
ＣＤプレーヤ本体２は、上側筐体４と下側筐体５とが開閉自在に取り付けられており、イジェクトレバー６に対するスライド操作に応じて上側筐体４を開かせ、その内部にＣＤを装填するようになされている。
【００１７】
ＣＤプレーヤ本体２の上側筐体４には、その表面に停止ボタン１０、再生ボタン１１、早戻しボタン１２及び早送りボタン１３が設けられていると共に、ＣＤ再生時間、ラジオ局のチャンネル周波数やバッテリー残量、或いはエラーメッセージ等の種々の内容を１行程度の文字列によって表示するためのＬＣＤ１４が設けられている。
【００１８】
なおＣＤプレーヤ２は、図示しないボタン操作に応じてＣＤ再生モードとラジオ受信モードとを切り替えることができるようになされており、ＣＤ再生モードのときにはＬＣＤ１４にＣＤ再生時間やバッテリー残量等を表示し、ラジオ受信モードのときにはＬＣＤ１４にラジオ局のチャンネル周波数やバッテリー残量等を表示する。
【００１９】
またＣＤプレーヤ本体２の上側筐体４には、ＬＣＤ１４を介してエラーメッセージを表示することに加え、そのエラー状態をユーザに通知するためのエラー通知ＬＥＤ１５がＬＣＤ１４の近傍に設けられており、ＬＣＤ１４によるエラーメッセージとエラー通知ＬＥＤ１５とによる２重のエラー通知構造を有している。
【００２０】
さらにＣＤプレーヤ本体２の上側筐体４には、ＬＣＤ１４の上側にエラー再表示ボタン１６及びエラー復帰ボタン１７が設けられており、このエラー再表示ボタン１６に対するユーザの押下操作に応じてＬＣＤ１４にエラーメッセージを再表示させ、またエラー復帰ボタン１７に対するユーザの押下操作に応じてＣＤプレーヤ２に発生したエラー状態を解消させるようになされている。
【００２１】
（２）ラジオ機能付ＣＤプレーヤの回路構成
図２に示すようにＣＤプレーヤ本体２は、ＣＰＵ(Central Processing Unit)２１がＲＯＭ(Read Only Memory)２２から読み出してＲＡＭ(Random Access Memory)２３に展開した基本プログラム及びアプリケーションプログラムに従ってＣＤ再生部２４、チューナ部２５、ＬＣＤ１４及びエラー通知ＬＥＤ１５を制御し、各種操作ボタン１０〜１３、１６及び１７に対するユーザのボタン操作に応じて種々の処理を実行するようになされている。
【００２２】
なおＣＤプレーヤ本体２は、入出力インタフェース２７を介して外部のネットワーク機器と接続することが可能であり、当該ネットワーク機器へＣＤ再生データ等を転送することができるようになされている。
【００２３】
このような回路構成のＣＤプレーヤ本体２においては、ＬＣＤ１４が１行程度のメッセージ表示能力しかないにも拘らず、後述するエラー表示処理手順を実行することにより、本来表示すべき内容を極力損なうことなくユーザに対してエラー状態を確実に通知し得るようになされており、以下そのエラー表示処理手順について説明する。
【００２４】
（３）エラー表示処理手順
図３に示すようにＣＤプレーヤ本体２のＣＰＵ２１は、アプリケーションプログラムの一つであるエラー状態表示制御プログラムに従ってルーチンＲＴ１の開始ステップから入ってステップＳＰ１へ移り、ＣＤ再生モード又はラジオ受信モードのうち現在選択された例えばＣＤ再生モードに応じたＣＤのトラック番号やＣＤ再生時間等をＬＣＤ１４に表示し、次のステップＳＰ２へ移る。
【００２５】
実際上ＣＰＵ２１は、ＣＤ再生モードにおいて、ＣＤの再生を停止しているときには図４に示すような再生予定のトラック番号（この場合「15 Tracks」）をＬＣＤ１４に表示し、ＣＤの再生中には図５に示すようなＣＤ再生時間（この場合「Playingtime 1:21sec」）をＬＣＤ１４に表示する。なお、この段階ではエラー通知ＬＥＤ１５は何れの場合も点灯していない。
【００２６】
ステップＳＰ２においてＣＰＵ２１は、ＣＤ再生部２４又はチューナ部２５の何れかでエラーが発生したか否かを判定し、否定結果が得られるとエラーは発生していないのでステップＳＰ１へ戻り上述の処理を繰り返すのに対し、肯定結果が得られるとステップＳＰ３及びステップＳＰ４へ移る。
【００２７】
ステップＳＰ３においてＣＰＵ２１は、例えばチューナ部２５がエラー状態にある場合、現在表示中のＣＤ再生モードにおける表示内容（図４及び図５）を、図６に示すようなエラーメッセージ「Error! Error!」に切り替えて表示すると同時に、ステップＳＰ４においてＣＰＵ２１はエラーＬＥＤ１５を点灯表示させ、次のステップＳＰ５へ移る。
【００２８】
ステップＳＰ５においてＣＰＵ２１は、エラーメッセージをＬＣＤ１４に表示してから一定時間（例えば５秒間）が経過したか否かを判定し、否定結果が得られるとステップＳＰ３へ移り、一定時間が経過するまでエラーメッセージを表示し続け、肯定結果が得られると次のステップＳＰ６へ移る。
【００２９】
ステップＳＰ６においてＣＰＵ２１は、エラーメッセージをＬＣＤ１４に表示してから一定時間が経過したので、当該エラーメッセージの表示を終了し、それまで表示されていいたＣＤ再生モードにおける表示内容に戻す。
【００３０】
このときＣＰＵ２１は、ＣＤ再生モードにおいてＣＤの再生を停止していたときには、エラーメッセージ非表示後に、図７に示すような再生予定のトラック番号（「15 Tracks」）にＬＣＤ１４の表示を戻す。なおＣＰＵ２１は、エラーメッセージ非表示後であっても、エラー通知ＬＥＤ１５については継続して点灯させておくようになされている。
【００３１】
またＣＰＵ２１は、ＣＤ再生モードにおいてＣＤを再生中であったときには、エラーメッセージ非表示後に、図８に示すようなＣＤ再生時間（この場合「Playingtime 1:26sec」）にＬＣＤ１４の表示を戻す。
【００３２】
この場合もＣＰＵ２１は、エラーメッセージ非表示後であっても、エラー通知ＬＥＤ１５については継続して点灯させておくようになされている。因みに、このときのＣＤ再生時間（「Playingtime 1:26sec」）は、図５に示したＣＤ再生時間（「Playingtime 1:21sec」）よりも一定時間（５秒間）経過後であるため、その分だけ時間が進んだ表示となっている。
【００３３】
ステップＳＰ７においてＣＰＵ２１は、エラーメッセージ非表示後に何らかのキーがユーザによって押下されたか否かを判定し、何れのキーについても押下操作されていないときには否定結果を得てステップＳＰ７に戻り、何らかのキーが押下操作されるまで待ち受け、何れかのキーが押下操作されたことを検出したときには次のステップＳＰ８へ移る。
【００３４】
ステップＳＰ８においてＣＰＵ２１は、ユーザによって押下操作されたキーがエラー復帰ボタン１７であるか否かを判定し、否定結果が得られるとステップＳＰ３へ戻り、肯定結果が得られると次のステップＳＰ９へ移る。
【００３５】
ここでＣＰＵ２１は、エラーメッセージ非表示後であってかつエラー通知ＬＥＤ１５を点灯させた状態にあっては、エラー状態が未だ解消されていない段階であるため、エラー復帰ボタン１７以外の停止ボタン１０、再生ボタン１１、早戻しボタン１２、早送りボタン１３の何れが押下操作されたとき、若しくはエラー再表示ボタン１６が押下操作されたときにはステップＳＰ３へ戻るようになされている。
【００３６】
ステップＳＰ３においてＣＰＵ２１は、エラー再表示命令に基づいて現在のＬＣＤ１４の表示内容（図７及び図８）に替えて、図９に示すようなエラーメッセージ「チューナ機能がエラー状態になりました」をＬＣＤ１４に表示することにより、エラーの具体的内容をユーザに認識させ、次のステップＳＰ３へ移る。
【００３７】
ステップＳＰ３においてＣＰＵ２１は、図９のエラーメッセージを表示し、ステップＳＰ５でエラーメッセージ（図９）を表示してから一定時間が経過したか否かを判定し、一定時間経過後はステップＳＰ６でエラーメッセージ（図９）の表示を終了させ、ステップＳＰ７及びステップＳＰ８でエラー復帰ボタン１７が押下操作されるとステップＳＰ９へ移る。
【００３８】
ステップＳＰ９においてＣＰＵ２１は、エラー復帰ボタン１７の押下操作をトリガーとしてチューナ部２５のエラー状態を解消するための所定の処理（例えばチューナ部２５のリセット）を実行し、次のステップＳＰ１０へ移る。
【００３９】
ステップＳＰ１０においてＣＰＵ２１は、チューナ部２５のエラー状態が解消したか否かを判定し、否定結果が得られるとステップＳＰ７へ戻ってチューナ部２５のエラー状態が解消されるまでステップＳＰ７〜ステップＳＰ１０の処理を繰り返し、肯定結果が得られると次のステップＳＰ１１へ移る。
【００４０】
ところで、ＣＰＵ２１が管理するＣＤプレーヤ本体２のエラー状態としては多数存在し、図１０に示すようなエラーＥｒ１（ネットワークの設定が不適切）、エラーＥｒ２（接続可能なネットワーク機器が見つからない）、エラーＥｒ３（接続中のネットワーク機器が接続中にネットワーク上からいなくなりました）、エラーＥｒ４（接続中のネットワーク機器が接続中にエラー状態になりました）、エラーＥｒ５（ＣＤ機能がエラー状態になりました）及びエラーＥｒ６（チューナ機能がエラー状態になりました）等がある。
【００４１】
実際上ＣＰＵ２１では、図１１に示すようにエラーＥｒ１〜Ｅｒ６の種類に対してエラー状態を解消すべきエラー復帰メニューのエラー復帰項目Ｒ１〜Ｒ６がアプリケーションプログラムに設定されており、例えばエラーＥｒ１に対しては矢印で示すようにエラー復帰項目Ｒ１（ネットワークの設定状況を表示）及びＲ２（ネットワークの設定を行う）を選択することにより、ネットワークの設定状況をＬＣＤ１４に表示し、ネットワークの設定を行うことによりエラー状態を解消するよう試みる。
【００４２】
またＣＰＵ２１は、エラーＥｒ２（接続可能なネットワーク機器が見つからない）に対しては矢印で示すようにエラー復帰項目Ｒ３（接続可能なネットワーク機器を検索）を選択することにより、ＣＤプレーヤ本体２に対して接続可能なネットワーク機器を検索することによりエラー状態を解消するよう試みる。
【００４３】
またＣＰＵ２１は、エラーＥｒ３（接続中のネットワーク機器が接続中にネットワーク上からいなくなりました）に対しては矢印で示すようにエラー復帰項目Ｒ３（接続可能なネットワーク機器を検索）及びエラー復帰項目Ｒ４（再度同じネットワーク機器に接続）を選択することにより、ＣＤプレーヤ本体２に対して接続可能なネットワーク機器を検索し、当該ネットワーク機器が見つからないときには、再度同じネットワーク機器に接続することによりエラー状態を解消するよう試みる。
【００４４】
さらにＣＰＵ２１は、エラーＥｒ４（接続中のネットワーク機器が接続中にエラー状態になりました）に対しては矢印で示すようにエラー復帰項目Ｒ３（接続可能なネットワーク機器を検索）及びエラー復帰項目Ｒ４（再度同じネットワーク機器に接続）を選択することにより、ＣＤプレーヤ本体２に対して接続可能なネットワーク機器を検索し、当該ネットワーク機器が見つからないときには、再度同じネットワーク機器に接続することによりエラー状態を解消するよう試みる。
【００４５】
さらにＣＰＵ２１は、エラーＥｒ５（ＣＤ機能がエラー状態になりました）に対しては矢印で示すようにエラー復帰項目Ｒ５（ＣＤ再生部をリセット）を選択することにより、ＣＤプレーヤ本体２に対してＣＤ再生部２４のリセットを行うことによりエラー状態を解消するよう試みる。
【００４６】
さらにＣＰＵ２１は、エラーＥｒ６（チューナ機能がエラー状態になりました）に対しては矢印で示すようにエラー復帰項目Ｒ６（チューナ部をリセット）を選択することにより、ＣＤプレーヤ本体２に対してチューナ部２５のリセットを行うことによりエラー状態を解消するよう試みる。
【００４７】
ステップＳＰ１１においてＣＰＵ２１は、ステップＳＰ１０でチューナ部２５のエラー状態が解消したことを認識すると、ＬＣＤ１４を元の表示内容（図４及び図５）に戻すと共にエラー通知ＬＥＤ１５を消灯させ、再度ステップＳＰ１に戻って上述の処理を繰り返す。
【００４８】
（４）動作及び効果
以上の構成において、ラジオ機能付ＣＤプレーヤ２は機器自身が有する機能がエラー状態にあることを検出すると、ＬＣＤ１４に現在表示中の内容をエラーメッセージに切り替えて表示することによりエラー状態にあることをユーザに認識させ、エラーメッセージを表示してから一定時間経過後には当該エラーメッセージを非表示にすることにより、ＬＣＤ１４が本来表示すべき内容を極力損なうことなくユーザに対してエラー状態を認識させることができる。
【００４９】
このときラジオ機能付ＣＤプレーヤ２は、エラーメッセージを非表示にするものの、当該エラーメッセージを見逃したユーザのためにエラー通知ＬＥＤ１５を点灯させたままの状態にしておくので、エラー通知ＬＥＤ１５によりエラーメッセージを見逃したユーザに対してもＣＤプレーヤ本体２の何れかの機能がエラー状態にあることを確実に認識させることができる。
【００５０】
従ってラジオ機能付ＣＤプレーヤ２は、エラーメッセージを見逃したユーザがエラー通知ＬＥＤ１５を確認することによりエラー状態にあることを認識した後、そのユーザの操作によりエラー状態の内容を知るためのエラー再表示命令を受け付けた場合には、ＬＣＤ１４に具体的なエラーの内容を表したエラーメッセージ「チューナ機能がエラー状態になりました」を表示することにより、エラー状態の内容についても正確に認識させることができる。
【００５１】
さらにラジオ機能付ＣＤプレーヤ２は、エラーメッセージを確認したユーザがエラー復帰ボタン１７を押下操作するだけで、実際のエラーＥｒ１〜Ｅｒ６に対して予め割り当てられたエラー復帰項目Ｒ１〜Ｒ６のエラー復帰処理を実行してエラー状態を解消することができるので、エラー状態が発生したときにユーザが取扱説明書を読んで当該エラー状態を解消するといった煩雑な手間を回避し、簡単にエラー状態の解消まで導くことができる。
【００５２】
なおラジオ機能付ＣＤプレーヤ２は、チューナ部２５にエラーが発生したとき、エラー復帰ボタン１７に対する押下操作をトリガーとして当該チューナ部２５のエラー状態を解消するようにしたことにより、例えばチューナ部２５のエラー状態を解消する際にＣＤ再生機能についても停止せざるを得ない場合、エラー復帰ボタン１７が押下操作されるまではＣＤ再生中の音楽を聴取しているユーザの妨げになることはないので、ユーザの使い勝手を向上することができる。
【００５３】
以上の構成によれば、ラジオ機能付ＣＤプレーヤ２は機器自身が有する機能がエラー状態にあることを検出したとき、エラーメッセージ及びエラー通知ＬＥＤ１５を介してエラー状態にあることをユーザに認識させ、そのエラーメッセージを表示してから一定時間経過後には当該エラーメッセージだけを非表示にすることにより、エラーメッセージを見過ごしたユーザに対してはエラー通知ＬＥＤ１５によりエラー状態にあることを通知することができるので、ＬＣＤ１４が本来表示すべき内容を極力損なうことなくユーザに対してエラー状態を確実に認識させることができる。
【００５４】
（５）他の実施の形態
なお上述の実施の形態においては、ＣＰＵ２１がＣＤ再生部２４又はチューナ部２５の何れかでエラーが発生したか否かを判定するようにした場合について述べたが、本発明はこれに限らず、ＣＤ再生部２４及びチューナ部２５に加えて入力インタフェース２７やエラー通知ＬＥＤ１５についてもエラーが発生したか否かを判定し、エラーメッセ上記を表示するようにしても良い。
【００５５】
また上述の実施の形態においては、エラー再表示命令に基づいて図９に示したエラーメッセージ「チューナ機能がエラー状態になりました」をＬＣＤ１４に表示するようにした場合について述べたが、本発明はこれに限らず、図６に示したエラーメッセージ「Error! Error!」を再度表示するようにしても良い。
【００５６】
さらに上述の実施の形態においては、エラーメッセージを表示する際に現在表示中の内容からエラーメッセージに切り換えるようにした場合について述べたが、本発明はこれに限らず、表示画面に余裕があれば現在表示中の内容に加えてエラーメッセージを表示するようにしても良い。
【００５７】
さらに上述の実施の形態においては、表示能力の乏しいＬＣＤ１４を有するラジオ機能付ＣＤプレーヤ２を本発明の適用対象とするようにした場合について述べたが、本発明はこれに限らず、表示能力が優れた大画面のパーソナルコンピュータ等を本発明の適用対象とするようにしても良い。
【００５８】
さらに上述の実施の形態においては、エラー復帰ボタン１７の押下操作をトリガーとしてエラー状態の解消を試みるようにした場合について述べたが、本発明はこれに限らず、エラー復帰ボタン１７に対する押下操作に拘らず、エラーメッセージを表示すると同時にエラー状態の解消を自動的に試みるようにしても良い。
【００５９】
さらに上述の実施の形態においては、ＣＤプレーヤ本体２のＣＰＵ２１がエラー状態表示制御プログラムに従ってルーチンＲＴ１のエラー表示処理手順（図３）を実行するようにした場合について述べたが、本発明はこれに限らず、当該エラー状態表示制御プログラムが格納されたＣＤ−ＲＯＭ(Compact Disc-Read Only Memory)、ＤＶＤ−ＲＯＭ(Digital Versatile Disc-Read Only Memory)、半導体メモリ等の種々の記憶媒体を介してＣＤプレーヤ本体２に当該エラー状態表示制御プログラムをインストールして上述のエラー表示処理手順を実行するようにしても良い。
【００６０】
さらに上述の実施の形態においては、エラー状態を検出する検出手段、及びエラー状態を所定の文字列としてのエラーメッセージによって表示手段としてのＬＣＤ１４に表示させるエラー状態表示手段としてのＣＰＵ２１、エラー状態をユーザに通知するエラー状態通知手段としてのエラー通知ＬＥＤ１５、ＬＣＤ１４に対するエラーメッセージの表示時間が一定時間経過したとき当該エラーメッセージの表示だけを終了する制御手段としてのＣＰＵ２１によって本発明の電子機器を構成するようにした場合について述べたが、本発明はこれに限らず、その他種々の回路構成でなる検出手段、エラー状態表示手段、エラー状態通知手段及び制御手段によって本発明の電子機器を構成するようにしても良い。
【産業上の利用可能性】
【００６１】
本発明の電子機器、エラー状態表示制御方法及びエラー状態表示制御プログラムは、例えばエラー状態をユーザに通知する必要がある携帯型メモリプレーヤー、ＰＤＡ(Personal Digital Assistant)、携帯電話機、パーソナルコンピュータ等のその他種々の電子機器に適用することができる。
【図面の簡単な説明】
【００６２】
【図１】ラジオ機能付ＣＤプレーヤの外観構成を示す略線的斜視図である。
【図２】ＣＤプレーヤ本体の回路構成を示す略線的ブロック図である。
【図３】エラー表示処理手順をフローチャートである。
【図４】停止中の表示内容を示す略線図である。
【図５】再生中の表示内容を示す略線図である。
【図６】エラーメッセージを示す略線図である。
【図７】エラーメッセージ非表示後の表示内容（１）を示す略線図である。
【図８】エラーメッセージ非表示後の表示内容（２）を示す略線図である。
【図９】エラーメッセージの再表示内容を示す略線図である。
【図１０】エラー状態の種類を示す略線図である。
【図１１】エラーの種類に応じたエラー復帰メニューの説明に供する略線図である。
【符号の説明】
【００６３】
１……ラジオ機能付ＣＤプレーヤ、２……ＣＤプレーヤ本体、３……イヤホン、４……上側筐体、５……下側筐体、６……イジェクトレバー、１０……停止ボタン、１１……再生ボタン、１２……早戻しボタン、１３……早送りボタン、１４……ＬＣＤ、１５……エラー通知ＬＥＤ、１６……エラー再表示ボタン、１７……エラー復帰ボタン、２１……ＣＰＵ、２２……ＲＯＭ、２３……ＲＡＭ、２４……ＣＤ再生部、２５……チユーナ部、２７……入出力インタフェース。
【図１】
2006350456.tif 000003
【図２】
2006350456.tif 000004
【図３】
2006350456.tif 000005
【図４】
2006350456.tif 000006
【図５】
2006350456.tif 000007
【図６】
2006350456.tif 000008
【図７】
2006350456.tif 000009
【図８】
2006350456.tif 000010
【図９】
2006350456.tif 000011
【図１０】
2006350456.tif 000012
【図１１】
2006350456.tif 000013